(57)【要約】【課題】  尿漏れを有効に防止すると共に着用感のより向上を図った使い捨ておむつを提供する。【解決手段】  重合状態とされた内層シート３６と外層シート３７とで、後背部３１と前腹部３２と股部３３とを形成すると共に、ボディギャザー形成用弾性部材３９が伸張状態で介在され、股部３３に沿って縦長の吸収体３５が備えられると共に、吸収体３５の両端部がエンド押さえシート５０、５１により被覆されている。内層シート３６および外層シート３７は撥水性を有するシート材からなる。エンド押さえシート５０、５１は撥水性を有するスパンボンド不織布からなると共に幅狭帯状に形成され、後背部３１および前腹部３２に内層シート３６と外層シート３７とからなる二層領域５２が形成されている。【選択図】  図３
2006247009.tif 000002
【特許請求の範囲】
【請求項１】
互いに重合状態とされた内層シートと外層シートとで、背部にあてがわれる後背部と腹部にあてがわれる前腹部とそれら後背部と前腹部間に連なって設けられる股部とを形成すると共に、それら後背部と前腹部における内層シートと外層シートとの間に腹部周りのボディギャザー形成用弾性部材が伸張状態で介在され、
前記股部に後背部から前腹部にわたる縦長の吸収体が備えられると共に、該吸収体の長手方向両端部が後背部および前腹部にそれぞれ接合されたエンド押さえシートにより被覆されてなる使い捨て吸収性物品において、
前記内層シートおよび前記外層シートは撥水性を有するシート材からなり、
前記エンド押さえシートは撥水性を有するスパンボンド不織布からなると共に、エンド押さえシートが幅狭帯状に形成され、前記後背部および前記前腹部にエンド押さえシートが存在しない前記内層シートと前記外層シートとからなる二層領域が形成されていることを特徴とする使い捨て吸収性物品。
【請求項２】
請求項１に記載の使い捨て吸収性物品において、
前記吸収体は、所定形状に成形された液保持性を有する吸液マット部を備え、該吸液マット部が一層のマット体からなることを特徴とする使い捨て吸収性物品。
【発明の詳細な説明】
【技術分野】
【０００１】
本発明は、パンツ型の使い捨ておむつ等のような使い捨て吸収性物品の改良に関するものである。
【背景技術】
【０００２】
従来、この種の使い捨て吸収性物品として、例えば、パンツ型の使い捨ておむつがあり、その展開状態においては、図５に示されるように、着用者の背部にあてがわれる後背部１と、腹部にあてがわれる前腹部２と、それら後背部１と前腹部２間に連なって設けられると共に両側部が切欠状とされて若干幅狭に形成され、着用者の股部にあてがわれる股部３とを有するおむつ本体４と、股部３に後背部１から前腹部２にわたって貼着されたいわゆる縦長の吸収体５とを備えた構造とされている。
【０００３】
前記おむつ本体４は、図６に示されるように、互いに重合状に接合された内層シート６と外層シート７とを備え、後背部１や前腹部２における腰部周り、腹部周りにそれぞれ対応した内層シート６と外層シート７との間には、ウエストギャザー形成用弾性部材８やボディギャザー形成用弾性部材９がそれぞれ伸長状態で介在されると共に、股部３における脚部周りに対応した部分にはレッグギャザー形成用弾性部材１０が伸張状態で介在された構造とされている。
【０００４】
そして、おむつ本体４は、二つ折り状態で後背部１の両側端部と前腹部２の両側端部とが超音波溶着等により互いに接合されて、腰周り開口部と一対の脚周り開口部とを備えたいわゆるパンツ型に構成される。
【０００５】
また、吸収体５は、図７にも示されるように、液保持性を有する吸液マット部１２と、該吸液マット部１２を包むように覆う透液性を有する被覆シート１３とを備え、所定形状に成形された構造とされている。そして、吸液マット部１２は、図５や図８に示されるような大形形状の上層マット体１４を透液性シート１５で包んだ上層吸液部１２ａと、図５や図９に示されるような上層マット体１４よりも僅かに小形形状の下層マット体１６を透液性シート１７で包んだ下層吸液部１２ｂとの二層構造とされている。
【０００６】
さらに、吸収体５における肌面側の幅方向両側部には、その長手方向に沿ってサイドシート１８がそれぞれ接合されており、各サイドシート１８の内側端縁部にはそれぞれ立体ギャザー形成用弾性部材１９が伸張状態で介在されている。
【０００７】
また、貼着された吸収体５の両端部が直接肌に当たらないように、吸収体５の長手方向両端部が後背部１および前腹部２にそれぞれ重合状に接合されたエンド押さえシート２０、２１により被覆された構造とされ、そして、図６に示されるように、外層シート７の端部はそれぞれエンド押さえシート２０、２１の上面側に折り返されて重合状に接合された構造とされている。ここに、後背部１と前腹部２で構成される腹部周りは内層シート６と外層シート７とエンド押さえシート２０、２１とのいわゆる三層からなる構造とされていた。
【０００８】
このような三層構造とされたパンツ型の使い捨ておむつとして、例えば特許文献１に開示のようなものがある。
【０００９】
【特許文献１】特開平８−２８０７３９号公報
【発明の開示】
【発明が解決しようとする課題】
【００１０】
しかしながら、上記従来構造の使い捨ておむつによれば、腹部周り全体が内層シート６と外層シート７とエンド押さえシート２０、２１による三層構造であり、内層シート６や外層シート７が撥水性の不織布とされているため、エンド押さえシート２０、２１は蒸れを有効に防止して着用感の向上を図る目的から、親水性を有するポイントボンド不織布を採用していた。
【００１１】
その一方で、各エンド押さえシート２０、２１が親水性を有するポイントボンド不織布であるため、強度的に弱くて裂け易く、また親水性を有するため、吸収体５側からの尿の浸透による尿漏れが発生するおそれもあった。
【００１２】
そこで、本発明の解決すべき課題は、尿漏れを有効に防止すると共に着用感のより向上を図った使い捨て吸収性物品を提供することを目的とする。
【課題を解決するための手段】
【００１３】
上記の課題を解決するため、請求項１の発明では、互いに重合状態とされた内層シートと外層シートとで、背部にあてがわれる後背部と腹部にあてがわれる前腹部とそれら後背部と前腹部間に連なって設けられる股部とを形成すると共に、それら後背部と前腹部における内層シートと外層シートとの間に腹部周りのボディギャザー形成用弾性部材が伸張状態で介在され、前記股部に後背部から前腹部にわたる縦長の吸収体が備えられると共に、該吸収体の長手方向両端部が後背部および前腹部にそれぞれ接合されたエンド押さえシートにより被覆されてなる使い捨て吸収性物品において、前記内層シートおよび前記外層シートは撥水性を有するシート材からなり、前記エンド押さえシートは撥水性を有するスパンボンド不織布からなると共に、エンド押さえシートが幅狭帯状に形成され、前記後背部および前記前腹部にエンド押さえシートが存在しない前記内層シートと前記外層シートとからなる二層領域が形成されている構造とされている。
【００１４】
また、請求項２の発明では、請求項１の発明に係る使い捨て吸収性物品において、前記吸収体は、所定形状に成形された液保持性を有する吸液マット部を備え、該吸液マット部が一層のマット体からなる構造とされている。
【発明の効果】
【００１５】
請求項１に記載の発明に係る使い捨て吸収性物品においては、内層シートおよび外層シートは撥水性を有するシート材からなり、エンド押さえシートは撥水性を有するスパンボンド不織布からなると共に、エンド押さえシートが幅狭帯状に形成され、後背部および前腹部にエンド押さえシートが存在しない内層シートと外層シートとからなる二層領域が形成されている構造とされており、エンド押さえシートが撥水性を有するスパンボンド不織布からなるため、強度的に強くて裂け難く、不用意な吸収体端部の肌側への露出が有効に防止できると共に、その撥水性により後背部側や前腹部側への尿漏れも有効に防止することができる。さらに、エンド押さえシートを幅狭帯状に形成し、後背部および前腹部に内層シートと外層シートとの二層領域を有する構造としているため、腹部周りの湿気が抜け易く、蒸れを有効に防止し、これらの点から着用感のより向上が図れる利点がある。
【００１６】
また、請求項２に記載の発明によれば、吸収体は、所定形状に成形された液保持性を有する吸液マット部を備え、該吸液マット部が一層のマット体からなる構造としているため、いわゆる薄型タイプの使い捨て吸収性物品となり、この点からも着用感の向上が図れる。
【発明を実施するための最良の形態】
【００１７】
＜実施形態＞
以下、本発明の実施形態を図面に基づいて説明すると、図１ないし図４に示されるように、使い捨て吸収性物品の一例としてのパンツ型の使い捨ておむつ３０は、前述同様、着用者の背部にあてがわれる後背部３１と、腹部にあてがわれる前腹部３２と、それら後背部３１と前腹部３２間に連なって設けられると共に両側部が切欠状とされて若干幅狭に形成され、着用者の股部にあてがわれる股部３３とを有するおむつ本体３４と、股部３３に後背部３１から前腹部３２にわたってホットメルト接着剤等により貼着されたいわゆる縦長の吸収体３５とを備えた構造とされている。
【００１８】
そして、二つ折り状態とされたおむつ本体３４における後背部３１の両側端部３１ａと前腹部３２の両側端部３２ａとが、超音波溶着等により互いに接合されて接合部６１が形成され、ここに、図１に示されるように、後背部３１と前腹部３２とにより周方向環状の腰周り開口部６２が形成されると共に、股部３３の両側に脚周り開口部６３がそれぞれ形成されたいわゆるパンツ型に構成されている。
【００１９】
前記おむつ本体３４は、図３に示されるように、ホットメルト接着剤等により互いに重合状に接合された内層シート３６と外層シート３７とを備え、後背部３１や前腹部３２における腰部周り、腹部周りにそれぞれ対応した内層シート３６と外層シート３７との間には、ウエストギャザー形成用弾性部材３８、ボディギャザー形成用弾性部材３９がそれぞれ伸長状態で介在され、ウエストギャザー形成用弾性部材３８やボディギャザー形成用弾性部材３９の伸縮作用により腰部周りや腹部周りに柔軟にフィットするウエストギャザー部６５やボディギャザー部６６が構成されている。
【００２０】
また、股部３３における脚部周りに対応した内層シート３６と外層シート３７との間には、レッグギャザー形成用弾性部材４０が伸張状態で介在されており、レッグギャザー形成用弾性部材４０の伸縮作用により脚部周りに柔軟にフィットするレッグギャザー部６７が構成されている。
【００２１】
そして、内層シート３６や外層シート３７は撥水性を有するシート材、例えば、スパンボンド不織布等の撥水性不織布により形成されている。また、各弾性部材３８，３９，４０としては、通常使い捨ておむつに用いられる弾性伸縮材料（ポリウレタン糸、ポリウレタンフィルム、天然ゴム等）が用いられ、伸張状態でホットメルト接着剤、熱溶着、超音波溶着等の貼着手段によりそれぞれの所定部位に貼着される構造とされている。
【００２２】
前記吸収体３５は、図４にも示されるように、液保持性を有する吸液マット部４２と、該吸液マット部４２を包むように覆う透液性を有する被覆シート４３とを備え、所定形状に成形された構造とされている。そして、本実施形態において、吸液マット部４２は、図２や図４に示されるように、前記従来構造の上層マット体１４と同様形状のマット体４４を透液性シート４５で包んだ一層のみからなる一層構造とされている。
【００２３】
この際、吸液マット部４２におけるマット体４４は、粉砕したパルプ繊維の坪量を１７０〜２００ｇ／ｍ2 とし、粒状の高分子吸収体、即ち吸水性ポリマーサップの坪量を１３０〜１８０ｇ／ｍ2 として混合してなり、その塊をティッシュペーパー等の紙シートまたは透液性不織布シート等の透液性シート４５で包み、所定形状に成形した構造とされている。そして、本実施形態において、例えば、マット体４４はパルプ繊維の坪量が略１８０ｇ／ｍ2 （重さで１２．０ｇ）とされると共に、吸水性ポリマーサップの坪量が略１３５ｇ／ｍ2 （重さで８．５ｇ）とされ、これらを混合した構造とされている。
【００２４】
一方、従来の二層構造における吸液マット部１２においては、例えば、上層マット体１４は、パルプ繊維の坪量が略１５１ｇ／ｍ2 （重さで９．５ｇ）とされると共に、吸水性ポリマーサップの坪量が略１３５ｇ／ｍ2 （重さで８．５ｇ）とされてこれらを混合した構造とされ、また、下層マット体１６は、パルプ繊維の坪量が略１３６ｇ／ｍ2 （重さで６．０ｇ）とされると共に、吸水性ポリマーサップの坪量が略１７０ｇ／ｍ2 （重さで７．５ｇ）とされてこれらを混合した構造とされていた。
【００２５】
従って、本実施形態における吸液マット部４２は、従来の吸液マット部１２のような二層構造に比較していわゆる薄型タイプの構造とされている。
【００２６】
また、前記被覆シート４３は、肌面側のトップシート４３ａおよびそれ以外の周囲を覆うバックシート４３ｂの双方を透液性の不織布等により構成してもよく、或いは少なくともトップシート４３ａを透液性の不織布等により構成し、バックシート４３ｂを撥水性の不織布等により構成してもよい。
【００２７】
さらに、吸収体３５における肌面側の幅方向両側部には、その長手方向に沿ってサイドシート４８がそれぞれホットメルト接着剤等により接合されており、各サイドシート４８の内側端縁部にはそれぞれ立体ギャザー形成用弾性部材４９が伸張状態で介在されている。そして、これら立体ギャザー形成用弾性部材４９の伸縮作用により、着用者の肌側に柔軟に押し付けられるべく内向きに起立する立体ギャザー部６８が構成されている。このようなサイドシート４８は不透液性シート、例えば不透液性のプラスチックフィルムや撥水性不織布等により構成されている。また、立体ギャザー形成用弾性部材４９は前記弾性部材３８，３９，４０と同様の伸縮性材料が用いられ、同様に、ホットメルト接着剤等により所定部位に貼着される構造とされている。
【００２８】
また、貼着された吸収体３５の両端部が直接肌に当たらないように、吸収体３５の長手方向両端部が後背部３１および前腹部３２にそれぞれホットメルト接着剤等により重合状に接合されたエンド押さえシート５０、５１により被覆された構造とされている。この際、図２や図３に示されるように、各エンド押さえシート５０、５１は後背部３１や前腹部３２の領域よりも幅狭な帯状に形成され、後背部３１や前腹部３２の領域、いわゆる腰部周りや腹部周りのウエストギャザー部６５やボディギャザー部６６の領域において、エンド押さえシート５０、５１が存在しない内層シート３６と外層シート３７とからなる二層領域５２が形成された構造とされている。
【００２９】
そして、図３に示されるように、外層シート３７の端部は内層シート３６の端部上面側にそれぞれ折り返されて重合状に接合された構造とされている。
【００３０】
また、各エンド押さえシート５０、５１は、本実施形態においては、撥水性を有するスパンボンド不織布からなる構造とされている。
【００３１】
本実施形態は以上のように構成されており、この使い捨ておむつ３０の装着状態においては、ウエストギャザー部６５、ボディギャザー部６６、レッグギャザー部６７、立体ギャザー部６８による着用者の各部肌側への密着作用により、尿等の排泄物の横漏れ、股漏れ、背漏れ、腹漏れ等の漏れを有効に防止し、尿等の排泄物を吸収体３５で効果的に収容する。
【００３２】
そして、エンド押さえシート５０、５１が撥水性を有するスパンボンド不織布からなる構造としているため、強度的に強くて裂け難く、不用意な吸収体３５端部の肌側への露出が有効に防止できると共に、その撥水性により吸収体３５側から後背部３１側や前腹部３２側への尿漏れも有効に防止することができる。さらに、エンド押さえシート５０、５１を幅狭帯状に形成し、後背部３１および前腹部３２に内層シート３６と外層シート３７との二層領域５２を有する構造としているため、三層構造の場合と比較して、腹部周りにおける柔軟性に優れると共に、腹部周りの湿気が外部に抜け易く、蒸れを有効に防止し、これらの点から着用感のより向上が図れる利点がある。
【００３３】
また、本実施形態におけるエンド押さえシート５０、５１の幅は、従来構造のエンド押さえシート２０、２１の幅に比較して、１／２程度の幅で製造でき、製造コスト低減が図れる利点もある。
【００３４】
さらに、本実施形態において、吸収体３５の吸液マット部４２は、単一のマット体４４からなる一層構造とされているため、前記従来の二層構造の吸液マット部１２と比較してより薄く形成された構造となり、ここに、いわゆる薄型タイプの使い捨ておむつ３０となり、この点からもより一層の着用感の向上が図れる。
【００３５】
また、図５ないし図７に示されるような従来構造の使い捨ておむつの製造工程におけるエンド押さえシート２０、２１を貼着する工程部分に、本実施形態における幅狭のエンド押さえシート５０、５１を貼着する工程を採用すれば、従来の製造装置を有効利用でき、この使い捨ておむつ３０の製造に容易に対応できる利点もある。
【００３６】
なお、各エンド押さえシート５０、５１の幅は、吸収体３５の両端部を被覆する機能と二層領域５２の適度な幅を確保する観点から適宜決定すればよい。
【００３７】
また、上記実施形態においては、使い捨て吸収性物品としていわゆるパンツ型の使い捨ておむつ３０に採用した構造を示しているが、脱着テープ等によりおむつの前後を着脱自在に止着可能とした使い捨ておむつであってもよく、実施形態の構造に何ら限定されない。
【図面の簡単な説明】
【００３８】
【図１】本発明の実施形態に係る使い捨ておむつの斜視図である。
【図２】同展開図である。
【図３】図２のIII−III線断面矢視図である。
【図４】図２のIV−IV線断面矢視図である。
【図５】従来例に係る使い捨ておむつの展開図である。
【図６】図５のVI−VI線断面矢視図である。
【図７】図５のVII−VII線断面矢視図である。
【図８】同上層マット体の平面図である。
【図９】同下層マット体の平面図である。
【符号の説明】
【００３９】
３０  使い捨ておむつ、３１  後背部、３２  前腹部、３３  股部、３４  おむつ本体、３５  吸収体、３６  内層シート、３７  外層シート、３８  ウエストギャザー形成用弾性部材、３９  ボディギャザー形成用弾性部材、４０  レッグギャザー形成用弾性部材、４２  吸液マット部、４３  被覆シート、４４  マット体、４９  立体ギャザー形成用弾性部材、５０  エンド押さえシート、５１  エンド押さえシート、５２  二層領域。
【図１】
2006247009.tif 000003
【図２】
2006247009.tif 000004
【図３】
2006247009.tif 000005
【図４】
2006247009.tif 000006
【図５】
2006247009.tif 000007
【図６】
2006247009.tif 000008
【図７】
2006247009.tif 000009
【図８】
2006247009.tif 000010
【図９】
2006247009.tif 000011